(57)【要約】【課題】通信キャリアやユーザへの負担がほとんど無く、優良発信者の通信を阻害することの無い着信制御を実現する。【解決手段】着信側通信端末装置で着信制御を行う。メールアドレスなどのＩＤがホワイトリストに登録されていないユーザＤや、ユーザＢの通信端末装置を不正に利用するユーザＣのメール送信については、ホワイトリスト未登録、パスワード不一致により、その着信が規制される。ホワイトリストにＩＤが登録されていない場合や、ＩＤがホワイトリストに登録されている通信端末装置を悪用した場合も、その着信を規制することができる。ホワイトリストにＩＤが登録されているがパスワードが必要なユーザＢや、ＩＤがホワイトリストに登録され、かつ、パスワード入力が不要なユーザＡのメール送信については、規制されない。【選択図】      図１１
2007219681.tif 000002
【特許請求の範囲】
【請求項１】
電子メール、ＳＭＳ（Short Message Service）、ＭＭＳ（Multimedia Messaging Service）等によるメール（以下、メールと呼ぶ）の着信を許可する発信側端末のＩＤに関するホワイトリストを保持するホワイトリスト保持手段と、発信側端末からのメールについて該メールに含まれているＩＤと前記ホワイトリスト保持手段に保持されているホワイトリストに含まれているＩＤとを照合するＩＤ照合手段と、前記ＩＤ照合手段の照合結果に基づき、前記ホワイトリストに含まれているＩＤに対応する発信側端末からのメールのみについて着信処理を行う着信制御手段とを含むことを特徴とする通信端末装置。
【請求項２】
発信側端末からのメールを保存する記憶手段を更に含み、前記着信制御手段は、前記ＩＤ照合手段の照合結果に基づき、前記ホワイトリストに含まれていないＩＤに対応する発信側端末からのメールを前記記憶手段から削除することを特徴とする請求項１記載の通信端末装置。
【請求項３】
予め定められたパスワードを保持するパスワード保持手段と、発信側端末からの呼に応答して該発信側端末にパスワードの送信を要求するパスワード要求手段と、前記発信側端末から送信されたパスワードと前記パスワード保持手段に保持されているパスワードとを照合するパスワード照合手段と、前記パスワード照合手段の照合結果に基づき、パスワードが一致した呼のみについて着信処理を行う着信制御手段とを含むことを特徴とする通信端末装置。
【請求項４】
着信を許可する発信側端末のＩＤに関するホワイトリストを保持するホワイトリスト保持手段と、予め定められたパスワードを保持するパスワード保持手段と、発信側端末からの呼について該呼に含まれているＩＤと前記ホワイトリスト保持手段に保持されているホワイトリストに含まれているＩＤとを照合するＩＤ照合手段と、前記ＩＤ照合手段の照合結果に基づき、前記ホワイトリストに含まれているＩＤに対応する発信側端末からの呼に応答して該発信側端末にパスワードの送信を要求するパスワード要求手段と、前記発信側端末から送信されたパスワードと前記パスワード保持手段に保持されているパスワードとを照合するパスワード照合手段と、前記パスワード照合手段の照合結果に基づき、パスワードが一致した呼のみについて着信処理を行う着信制御手段とを含むことを特徴とする通信端末装置。
【請求項５】
発信側端末からの呼がメールの送信である場合、該メールを保存する記憶手段を更に含み、着信制御手段は、前記パスワード照合手段の照合結果に基づき、前記パスワードが一致しない発信側端末からのメールを前記記憶手段から削除することを特徴とする請求項３又は４記載の通信端末装置。
【発明の詳細な説明】
【技術分野】
【０００１】
本発明は通信端末装置に関し、特に通信端末装置における着信制御に関する。
【背景技術】
【０００２】
現在、振り込め詐欺等の迷惑電話を防止する技術として、一度かかってきた電話番号をブラックリストとして登録し以降の着信を規制する技術（例えば、非特許文献１参照）や、予め通信キャリアにパスワードを登録し、発信者が正確なパスワードを入力できるか否かにより通信キャリアが着信を規制する技術（例えば、非特許文献２参照）等が提供されている。
特に、後者のサービスにおいては、類似技術が多数存在しており（例えば、特許文献１、特許文献２参照）、これらの技術は上記迷惑電話サービス防止の一役を担っている。また、携帯端末において予め格納しておいた電話番号と一致する電話番号の端末からの着信についてのみ着信報知を行う技術もある（例えば、特許文献３、特許文献４、特許文献５参照）。
【０００３】
【特許文献１】特開昭６１−１４４１６１号公報
【特許文献２】特開平３−２７８６６１号公報
【特許文献３】特開２００１−６９２３２号公報
【特許文献４】特開２００２−２２３２７９号公報
【特許文献５】特開２００５−１６８０３７号公報
【非特許文献１】“迷惑電話ストップサービス”、[online]、[平成１８年１月２４日検索]、インターネット＜ＵＲＬ：http://www.nttdocomo.co.jp/service/network/annoyance_stop/＞
【非特許文献２】“メンバーズネットセキュリティ”、[online]、[平成１８年１月２４日検索]、インターネット＜ＵＲＬ：http://www.ntt.com/members/info02.html_03＞
【発明の開示】
【発明が解決しようとする課題】
【０００４】
しかしながら、従来方式においては、次のことが問題となる。
まず、ブラックリストによる着信規制においては、実際に迷惑電話がかかってきてからでないとブラックリストへの登録が行えないため後追い的な対応になってしまう。従って発番号を変えて迷惑電話をかけられた場合や、名簿流出による迷惑電話への対策としては十分とは言えない。
【０００５】
一方、通信キャリアにパスワードを登録し、それにより通信キャリア側で着信を制限する方法は、通信キャリアへの登録が必要となるためリアルタイムな着信規制には適していない。それと共に通信キャリアのＤＢのリソースが割かれるため通信キャリアの負担が大きくなる（有料サービスとした場合は、ユーザへの金銭的負担が大きくなる）。また、発信者個々に対してパスワードを設定することができないため、パスワード入力が一律に求められ、パスワードの入力を必要としない優良発信者の通信を阻害してしまうという問題がある。
本発明は上述した従来技術の問題点を解決するためになされたものであり、その目的は通信キャリアやユーザへの負担がほとんど無く、優良発信者の通信を阻害することの無い着信制御を実現できる通信端末装置を提供することである。
【課題を解決するための手段】
【０００６】
本発明の請求項１による通信端末装置は、電子メール、ＳＭＳ（Short Message Service）、ＭＭＳ（Multimedia Messaging Service）等によるメール（以下、メールと呼ぶ）の着信を許可する発信側端末のＩＤに関するホワイトリストを保持するホワイトリスト保持手段と、発信側端末からのメールについて該メールに含まれているＩＤと前記ホワイトリスト保持手段に保持されているホワイトリストに含まれているＩＤとを照合するＩＤ照合手段と、前記ＩＤ照合手段の照合結果に基づき、前記ホワイトリストに含まれているＩＤに対応する発信側端末からのメールのみについて着信処理を行う着信制御手段とを含むことを特徴とする。このように構成すれば、通信キャリアやユーザへの負担がほとんど無く、優良発信者の通信を阻害することの無い着信制御を、通信端末装置において実現できる。
【０００７】
本発明の請求項２による通信端末装置は、請求項１において、発信側端末からのメールを保存する記憶手段を更に含み、前記着信制御手段は、前記ＩＤ照合手段の照合結果に基づき、前記ホワイトリストに含まれていないＩＤに対応する発信側端末からのメールを前記記憶手段から削除することを特徴とする。このように、パスワードの照合結果に基づいて、保存されているメールを削除することにより、迷惑メールが記憶容量を圧迫することを回避できる。
【０００８】
本発明の請求項３による通信端末装置は、予め定められたパスワードを保持するパスワード保持手段と、発信側端末からの呼に応答して該発信側端末にパスワードの送信を要求するパスワード要求手段と、前記発信側端末から送信されたパスワードと前記パスワード保持手段に保持されているパスワードとを照合するパスワード照合手段と、前記パスワード照合手段の照合結果に基づき、パスワードが一致した呼のみについて着信処理を行う着信制御手段とを含むことを特徴とする。このように、パスワードによる照合を行うことにより、通信端末装置が他人に盗難されたり、悪用されたりした場合に、その通信端末装置からの着信を規制することができる。なお、「呼」には、音声呼、メール、ＳＭＳなどが含まれる。
【０００９】
本発明の請求項４による通信端末装置は、着信を許可する発信側端末のＩＤに関するホワイトリストを保持するホワイトリスト保持手段と、予め定められたパスワードを保持するパスワード保持手段と、発信側端末からの呼について該呼に含まれているＩＤと前記ホワイトリスト保持手段に保持されているホワイトリストに含まれているＩＤとを照合するＩＤ照合手段と、前記ＩＤ照合手段の照合結果に基づき、前記ホワイトリストに含まれているＩＤに対応する発信側端末からの呼に応答して該発信側端末にパスワードの送信を要求するパスワード要求手段と、前記発信側端末から送信されたパスワードと前記パスワード保持手段に保持されているパスワードとを照合するパスワード照合手段と、前記パスワード照合手段の照合結果に基づき、パスワードが一致した呼のみについて着信処理を行う着信制御手段とを含むことを特徴とする。このように、パスワードによる照合を更に行うことにより、ホワイトリストに含まれているＩＤに対応する発信側端末装置が他人に盗難されたり、悪用されたりした場合に、その通信端末装置からの着信を規制することができる。なお、「呼」には、音声呼、メール、ＳＭＳなどが含まれる。
【００１０】
本発明の請求項５による通信端末装置は、請求項３又は４において、発信側端末からの呼がメールの送信である場合、該メールを保存する記憶手段を更に含み、着信制御手段は、前記パスワード照合手段の照合結果に基づき、前記パスワードが一致しない発信側端末からのメールを前記記憶手段から削除することを特徴とする。このように、パスワードの照合結果に基づいて、保存されているメールを削除することにより、迷惑メールが記憶容量を圧迫することを回避できる。
要するに本発明では、発信端末についての、電子メール、ＳＭＳ（Short Message Service）、ＭＭＳ（Multimedia Messaging Service）等によるメールのＩＤ（メールアドレス等）のホワイトリスト、音声呼に対するパスワードのリスト、個々の発信端末ＩＤに対するパスワードリストなどを用いることで上記の課題を解決している。
【発明の効果】
【００１１】
本発明によれば、電子メール、ＳＭＳ（Short Message Service）、ＭＭＳ（Multimedia Messaging Service）等によるメールについて、一律着信を許可するユーザ、適切なパスワードを入力すれば着信を許可するユーザ、一律着信を拒否するユーザ等の柔軟な着信制御が可能となり、通信キャリアやユーザに負荷をかけずに迷惑メールを未然に防止できると共に、着信を許可した端末（または発番号の詐称）を利用した不正着信を規制できるという効果がある。また、端末で着信制御を行うことで、端末内容情報やアプリケーション（スケジューラ等）と連携した着信制御も容易になるという効果がある。
【発明を実施するための最良の形態】
【００１２】
以下、本発明の実施の形態を、図面を参照して説明する。なお、以下の説明において参照する各図では、他の図と同等部分は同一符号によって示されている。なお、以下の説明における「着信制御」とは、通信端末装置の受信後に、その端末を操作するユーザに対して呼出しを行ったり、履歴を残したりする処理を実施するか否かの制御をいう。
【００１３】
（ホワイトリストによるメール着信制御）
通信端末装置に登録したホワイトリストを用いてメール着信制御を行う場合について説明する。この場合、通信端末装置は、例えば、図１に示されているように構成する。同図において、通信端末装置は、図示せぬ発信側端末装置からのメールを一旦記憶するメール記憶部１１と、メール着信を許可する発信側端末のＩＤに関するホワイトリストを保持するホワイトリスト保持部１２と、メール記憶部１１に一旦記憶された発信側端末装置からのメールについて、そのメールに含まれているＩＤとホワイトリスト保持部１２に保持されているホワイトリストに含まれているＩＤとを照合するＩＤ照合部１３と、ＩＤ照合部１３の照合結果に基づき、ホワイトリストに含まれているＩＤに対応する発信側端末からのメールのみについて着信処理を行う着信制御部１４とを含んで構成されている。
【００１４】
このような構成からなる通信端末装置が着信側端末として動作する場合について図２を参照して説明する。同図において、発信側端末装置から送信されてきたメール（ステップＳ１０１）は、メール記憶部１１に一旦記憶される（ステップＳ１０２）。このメール記憶部１１に記憶されたメールについて、ＩＤ照合部１３は、そのメールに含まれているＩＤとホワイトリスト保持部１２に保持されているホワイトリストに含まれているＩＤとを照合する（ステップＳ１０３、Ｓ１０４）。
【００１５】
ホワイトリストは、例えば、図３（ａ）に示されているように、メールアドレスなど、発信側の端末装置に付与されているＩＤのリストである。ＩＤ照合部１３は、そのメールに含まれているＩＤと同じＩＤがホワイトリストに存在するか照合する。図２に戻り、このＩＤ照合部１３の照合結果は、着信制御部１４に送られる（ステップＳ１０５）。
ホワイトリストに含まれているＩＤに対応する発信側端末からのメールであることを示す照合結果の場合、着信制御部１４は着信処理を行う（ステップＳ１０６→Ｓ１０７）。すなわち、着信音を出力したりバイブレーション機能を動作させたりし、メール着信があったことをユーザに知らせる。一方、ホワイトリストに含まれているＩＤに対応する発信側端末装置からのメールではないことを示す照合結果の場合、着信制御部１４はメール着信があったことをユーザに知らせない。つまり、ユーザへの呼出しは行われない。
【００１６】
以上のようなメール着信制御を行うため、着信側端末装置のユーザは、ホワイトリストに含まれているＩＤに対応する発信側端末からのメールについてのみ、その内容を見ることができる。したがって、通信キャリアやユーザへの負担がほとんど無く、優良発信者の通信を阻害することの無い着信制御を、通信端末装置において実現できる。
また、着信制御部１４は、ＩＤ照合部１３の照合結果に基づき、ホワイトリストに含まれていないＩＤに対応する発信側端末装置からのメールをメール記憶部１１から削除するようにしてもよい（ステップＳ１０６→Ｓ１０８→Ｓ１０９）。このように、ＩＤの照合結果に基づいて、保存されているメールを削除することにより、迷惑メールなどがメール記憶部１１の記憶容量を圧迫することを回避できる。なお、ホワイトリストに含まれていないＩＤに対応する発信側端末装置からのメールについては、着信履歴から削除し、そのメールについての記録を残さないようにしてもよい。
【００１７】
図４は、以上の動作の概要を示す図である。同図において、発信側通信端末装置から着信側通信端末装置に対する発信があった際（Ｓ１１）、着信側通信端末装置は発信側通信端末装置のＩＤ（メールアドレス等）とホワイトリストとを照合して着信の可否を判断する（Ｓ１２）。そして、その照合結果に基づき、ホワイトリストに含まれているＩＤに対応する発信側端末からのメールのみについて着信処理を行う（Ｓ１３）。これにより、ホワイトリストに記載されていない第三者からの迷惑メールを未然に防止できる。また、後述のパスワードリストと組み合わせることにより、優良な発信者に対してパスワードの入力を要求しない仕組みを提供できる。
【００１８】
（パスワードリストによるメール着信制御）
通信端末装置に登録したパスワードリストを用いてメール着信制御を行う場合について説明する。この場合、通信端末装置は、例えば、図５に示されているように構成する。同図において、通信端末装置は、図示せぬ発信側端末装置からのメールを一旦記憶するメール記憶部１１と、予め定められたパスワードのリストを保持するパスワードリスト保持部１５と、発信側端末装置にパスワードを要求するパスワード要求部１６と、メール記憶部１１に一旦記憶された発信側端末装置からのメールについて、その発信側端末から送信されたパスワードとパスワードリスト保持部１５に保持されているパスワードとを照合するパスワード照合部１７と、パスワード照合部１７の照合結果に基づき、パスワードが一致したメールのみについて着信処理を行う着信制御部１４とを含んで構成されている。
【００１９】
このような構成からなる通信端末装置が着信側端末として動作する場合について図６を参照して説明する。同図において、発信側端末装置から送信されてきたメール（ステップＳ２０１）は、メール記憶部１１に一旦記憶される（ステップＳ２０２）。メールの受信を検出したパスワード要求部１６は、発信側端末装置にパスワードの入力を要求する（ステップＳ２０３→Ｓ２０４）。このパスワードは、例えば、ダイヤルボタンなどの操作によって入力される数字やテキスト、端末装置の送話マイクロフォンから入力される音声、が考えられる。両者を組み合わせたものをパスワードとしてもよい。
発信側端末装置においては、パスワードが入力される（ステップＳ２０５）。発信側端末装置からパスワードが送信されてくると（ステップＳ２０６、Ｓ２０７）、パスワード照合部１７は、そのパスワードとパスワードリスト保持部１５に保持されているパスワードとを照合する（ステップＳ２０８）。
【００２０】
パスワードリストは、例えば、図３（ｂ）のように発信側端末装置すべてに共通のパスワードを設定したもの、同図（ｃ）のように特定の発信側端末装置のＩＤについてのパスワードを設定したもの、同図（ｄ）のように各発信側端末装置のＩＤそれぞれについて異なるパスワードを設定したものなどが考えられる。複数のパスワードを設定しておき、それらのいずれかのパスワードと一致するかについて判定するようにしてもよい。また、発信側端末装置のＩＤをグループ分けし、同じグループに属するＩＤについて共通のパスワードを設定してもよい。パスワード照合部１７は、発信側端末装置から送信されてきたパスワードとパスワードリスト保持部１５に保持されているパスワードとを照合する。図６に戻り、このパスワード照合部１７の照合結果は、着信制御部１４に送られる（ステップＳ２０９）。
【００２１】
パスワードが一致することを示す照合結果の場合、着信制御部１４は着信処理を行う（ステップＳ２１０→Ｓ２１１）。すなわち、着信音を出力したりバイブレーション機能を動作させたりし、メール着信があったことをユーザに知らせる。一方、パスワードが一致しないことを示す照合結果の場合、着信制御部１４はメール着信があったことをユーザに知らせない。つまり、ユーザへの呼出しは行われない。
【００２２】
以上のような着信制御を行うため、着信側端末装置のユーザは、パスワードが一致する発信側端末からのメールについてのみ、その内容を見ることができる。このように、パスワードによる照合を行うことにより、通信端末装置が他人に盗難されたり、悪用されたりした場合に、その通信端末装置からの着信を規制することができる。
また、着信制御部１４は、パスワード照合部１７の照合結果に基づき、前記パスワードが一致しない発信側端末装置からのメールをメール記憶部１１から削除するようにしてもよい（ステップＳ２１０→Ｓ２１２→Ｓ２１３）。このように、パスワードの照合結果に基づいて、保存されているメールを削除することにより、迷惑メールなどがメール記憶部１１の記憶容量を圧迫することを回避できる。なお、パスワードが一致しない発信側端末装置からのメールについては、着信履歴から削除し、そのメールについての記録を残さないようにしてもよい。
【００２３】
図７は、複数のパスワードを設定しておき、それらのいずれかのパスワードと一致するかについて判定する場合の動作の概要を示す図である。同図において、発信側通信端末装置から着信側通信端末装置に対する発信があった際（Ｓ２１）、着信側通信端末装置は発信側通信端末装置に対してパスワードを要求する（Ｓ２２、Ｓ２３）。発信側通信端末装置からパスワード要求応答が送信されると（Ｓ２４）、着信側通信端末装置は、その応答によってパスワードと自端末装置内に保存してあるパスワードリストとを照合して着信の可否を判断する（Ｓ２５）。そして、その照合結果に基づき、パスワードが一致したメールのみについて着信処理を行う（Ｓ２６）。このように、パスワードによる照合を行うことにより、通信端末装置が他人に盗難されたり、悪用されたりした場合に、その通信端末装置からの着信を規制することができる。
【００２４】
図８は、特定の発信側端末装置のＩＤについてのパスワードを設定した場合の動作の概要を示す図である。同図において、発信側通信端末装置から着信側通信端末装置に対する発信があった際（Ｓ２１）、着信側通信端末装置は、発信側端末装置のＩＤがパスワードリストに登録されている場合、発信側通信端末装置に対してパスワードを要求する（Ｓ２２’、Ｓ２３）。発信側通信端末装置からパスワード要求応答が送信されると（Ｓ２４’）、着信側通信端末装置は、その応答によってパスワードと自端末装置内に保存してあるパスワードリストとを照合して着信の可否を判断する（Ｓ２５’）。そして、その照合結果に基づき、パスワードが一致したメールのみについて着信処理を行う（Ｓ２６）。このように、パスワードによる照合を行うことにより、発信側通信端末装置を不正な第三者が利用した場合の着信、または、発番号を偽造して通知してきた場合の着信を規制することができる。
【００２５】
（ホワイトリスト及びパスワードリストによるメール着信制御）
通信端末装置に登録したホワイトリスト及びパスワードリストを用いてメール着信制御を行う場合について説明する。この場合、通信端末装置は、例えば、図９に示されているように構成する。同図において、通信端末装置は、図示せぬ発信側端末装置からのメールを一旦記憶するメール記憶部１１と、メール着信を許可する発信側端末のＩＤに関するホワイトリストを保持するホワイトリスト保持部１２と、メール記憶部１１に一旦記憶された発信側端末装置からのメールについて、そのメールに含まれているＩＤとホワイトリスト保持部１２に保持されているホワイトリストに含まれているＩＤとを照合するＩＤ照合部１３と、予め定められたパスワードのリストを保持するパスワードリスト保持部１５と、ＩＤ照合部１３の照合結果に基づき、ホワイトリストに含まれているＩＤに対応する発信側端末装置にパスワードを要求するパスワード要求部１６と、メール記憶部１１に一旦記憶された発信側端末装置からのメールについて、その発信側端末から送信されたパスワードとパスワードリスト保持部１５に保持されているパスワードとを照合するパスワード照合部１７と、パスワード照合部１７の照合結果に基づき、パスワードが一致したメールのみについて着信処理を行う着信制御部１４とを含んで構成されている。
【００２６】
このような構成からなる通信端末装置が着信側端末として動作する場合について図１０を参照して説明する。同図において、発信側端末装置から送信されてきたメール（ステップＳ３０１）は、メール記憶部１１に一旦記憶される（ステップＳ３０２）。このメール記憶部１１に記憶されたメールについて、ＩＤ照合部１３は、そのメールに含まれているＩＤとホワイトリスト保持部１２に保持されているホワイトリストに含まれているＩＤとを照合する（ステップＳ３０３、Ｓ３０４）。ホワイトリストは、例えば、図３（ａ）のように構成されている。このＩＤ照合部１３の照合結果は、パスワード要求部１６及び着信制御部１４に送られる（ステップＳ３０５）。
【００２７】
ホワイトリストに含まれているＩＤに対応する発信側端末装置からのメールではないことを示す照合結果の場合、着信制御部１４はメール着信があったことをユーザに知らせない。つまり、ユーザへの呼出しは行われない。この場合、着信制御部１４は、ＩＤ照合部１３の照合結果に基づき、ホワイトリストに含まれていないＩＤに対応する発信側端末装置からのメールをメール記憶部１１から削除するようにしてもよい（ステップＳ３０６→Ｓ３０７→Ｓ３０８）。このように、ＩＤの照合結果に基づいて、保存されているメールを削除することにより、迷惑メールなどがメール記憶部１１の記憶容量を圧迫することを回避できる。なお、ホワイトリストに含まれていないＩＤに対応する発信側端末装置からのメールについては、着信履歴から削除し、そのメールについての記録を残さないようにしてもよい。
【００２８】
一方、ホワイトリストに含まれているＩＤに対応する発信側端末からのメールであることを示す照合結果の場合、着信制御部１４はパスワード要求部１６にパスワードを要求する指示を行う（ステップＳ３０９）。これにより、パスワード要求部１６は、発信側端末装置にパスワードの入力を要求する（ステップＳ３１０）。このパスワードは、例えば、ダイヤルボタンなどの操作によって入力される数字やテキスト、端末装置の送話マイクロフォンから入力される音声、が考えられる。両者を組み合わせたものをパスワードとしてもよい。
【００２９】
発信側端末装置においては、パスワードが入力される（ステップＳ３１１）。発信側端末装置からパスワードが送信されてくると（ステップＳ３１２、Ｓ３１３）、パスワード照合部１７は、そのパスワードとパスワードリスト保持部１５に保持されているパスワードとを照合する（ステップＳ３１４）。パスワードリストは、例えば、図３（ｂ）や図３（ｄ）のように構成されている。このパスワード照合部１７の照合結果は、着信制御部１４に送られる（ステップＳ３１５）。
【００３０】
パスワードが一致することを示す照合結果の場合、着信制御部１４は着信処理を行う（ステップＳ３１６→Ｓ３１７）。すなわち、着信制御部１４は着信音を出力したりバイブレーション機能を動作させたりし、メール着信があったことをユーザに知らせる。一方、パスワードが一致しないことを示す照合結果の場合、着信制御部１４はメール着信があったことをユーザに知らせない。つまり、ユーザへの呼出しは行われない。
【００３１】
以上のような着信制御を行うため、着信側端末装置のユーザは、ホワイトリストに含まれているＩＤに対応する発信側端末からのメールのうち、パスワードが一致するメールについてのみ、その内容を見ることができる。このように、パスワードによる照合を更に行うことにより、通信端末装置が他人に盗難されたり、悪用されたりした場合に、その通信端末装置からの着信を規制することができる。
【００３２】
また、着信制御部１４は、パスワード照合部１７の照合結果に基づき、前記パスワードが一致しない発信側端末装置からのメールをメール記憶部１１から削除するようにしてもよい（ステップＳ３１６→Ｓ３１８→Ｓ３１９）。このように、パスワードの照合結果に基づいて、保存されているメールを削除することにより、迷惑メールなどがメール記憶部１１の記憶容量を圧迫することを回避できる。なお、パスワードが一致しない発信側端末装置からのメールについては、着信履歴から削除し、そのメールについての記録を残さないようにしてもよい。
【００３３】
（ホワイト・パスワードリストの利用）
ところで、ホワイトリストとパスワードリストとを統合したホワイト・パスワードリストを用いてメール着信制御を行ってもよい。例えば、図３（ｅ）のように両者を統合したリストを作成し、発信側端末装置のＩＤごとに別々のパスワードを設定する。そして、親しい者や家族など特定の発信側端末装置のＩＤについてはパスワードの入力を不要に設定することもできる。
【００３４】
図３（ｅ）のホワイト・パスワードリストを用いた場合の動作例について、図１１を参照して説明する。
同図には、ホワイトリストに登録されパスワードが不要なユーザＡ、ホワイトリストに登録されているがパスワードが必要なユーザＢ、ユーザＢの通信端末装置を不正に利用するユーザＣ、ホワイトリストに登録されていないユーザＤがそれぞれＢｏｂの通信端末装置にメールを送信した場合の動作が示されている。
【００３５】
（１）ホワイトリスト未登録端末からの送信
ＩＤがホワイトリストに登録されていないユーザＤがＢｏｂにメールを送信した場合（Ｓ３１）、Ｂｏｂの通信端末装置では、ユーザＤの通信端末装置のＩＤがホワイトリストに登録されているか否かを照合する（Ｓ３２）。照合した結果、そのＩＤは登録されていないため、ユーザＤからの着信は規制される（Ｓ３３）。この結果、Ｂｏｂへの呼出しは行われない。これにより、ホワイトリストにＩＤが登録されていないユーザＤの通信端末装置からの着信を未然に防ぐことができる。
【００３６】
（２）ホワイトリスト登録済端末の不正使用による送信
ユーザＢの通信端末装置を不正に利用するユーザＣがＢｏｂにメールを送信した場合（Ｓ３１）、Ｂｏｂの通信端末装置では、ユーザＢの通信端末装置のＩＤがホワイトリストに登録されているか否かを照合する（Ｓ３２）。照合した結果、そのＩＤは登録されているため、ユーザＣに対してパスワードの入力を要求する（Ｓ３４）。
この要求に応答してユーザＣはパスワードを入力することになる（Ｓ３５）。Ｂｏｂの通信端末装置は、ユーザＣにより入力されたパスワードと事前に設定されたパスワードとの照合を行う（Ｓ３６）。
この場合、ユーザＣは正しいパスワードを入力できないので、パスワードは一致しない。このため、ユーザＣからの着信は規制され（Ｓ３７）、Ｂｏｂへの呼出しは行わない。これにより、本人以外のユーザが、ＩＤがホワイトリストに登録されている通信端末装置を悪用してＢｏｂへメールを送信した場合も、その着信を規制することができる。
【００３７】
（３）ホワイトリスト登録済かつパスワード入力必要な端末による送信
ホワイトリストにＩＤが登録されているがパスワードが必要なユーザＢがＢｏｂにメールを送信した場合（Ｓ３１）、Ｂｏｂの通信端末装置では、ユーザＢの通信端末装置のＩＤがホワイトリストに登録されているか否かを照合する（Ｓ３２）。照合した結果、そのＩＤは登録されているため、ユーザＢに対してパスワードの入力を要求する（Ｓ３４）。
【００３８】
この要求に応答してユーザＢはパスワードを入力することになる（Ｓ３５）。Ｂｏｂの通信端末装置は、ユーザＢにより入力されたパスワードと事前に設定されたパスワードとの照合を行う（Ｓ３６）。
この場合、入力されたパスワードと事前に設定されたパスワードとが一致するため、ユーザＢからの着信は許可され（Ｓ３７）、Ｂｏｂへの呼出しが行われる。これにより、上記の場合と同様に、本人以外が通信端末装置を悪用した場合の着信を規制することができる。
【００３９】
（４）ホワイトリスト登録済かつパスワード入力不要な端末による送信
ＩＤがホワイトリストに登録され、かつ、パスワード入力が不要なユーザＡがＢｏｂにメールを送信した場合（Ｓ３１）、Ｂｏｂの通信端末装置は、ユーザＡの通信端末装置のＩＤがホワイトリストに登録されているか否かを照合する（Ｓ３２）。照合した結果、そのＩＤは登録されているため、ユーザＡからの着信は許可され（Ｓ３３）、Ｂｏｂへの呼出しが行われる。これにより、家族や友人等の親しいユーザが発信する際に、パスワードを入力する手間を省くことができる。
【００４０】
（パスワードリストによる音声呼着信制御）
通信端末装置に登録したパスワードリストを用いて音声呼着信制御を行う場合について説明する。この場合、通信端末装置は、例えば、図１２に示されているように構成する。同図において、通信端末装置は、図示せぬ発信側端末装置からの音声呼を検出処理する呼処理部１１０と、予め定められたパスワードのリストを保持するパスワードリスト保持部１５と、発信側端末装置にパスワードを要求するパスワード要求部１６と、その発信側端末から送信されたパスワードとパスワードリスト保持部１５に保持されているパスワードとを照合するパスワード照合部１７と、パスワード照合部１７の照合結果に基づき、パスワードが一致した音声呼のみについて着信処理を行う着信制御部１４とを含んで構成されている。
【００４１】
このような構成からなる通信端末装置が着信側端末として動作する場合について図１３を参照して説明する。同図において、発信側端末装置から音声呼が発信された場合（ステップＳ２０１）、呼処理部１１０は、その音声呼を検出する（ステップＳ２０２’）。呼処理部１１０が音声呼を検出した場合、パスワード要求部１６は、発信側端末装置にパスワードの入力を要求する（ステップＳ２０３→Ｓ２０４）。このパスワードは、例えば、ダイヤルボタンなどの操作によって入力される数字やテキスト、端末装置の送話マイクロフォンから入力される音声、が考えられる。両者を組み合わせたものをパスワードとしてもよい。
【００４２】
発信側端末装置においては、パスワードが入力される（ステップＳ２０５）。発信側端末装置からパスワードが送信されてくると（ステップＳ２０６、Ｓ２０７）、パスワード照合部１７は、そのパスワードとパスワードリスト保持部１５に保持されているパスワードとを照合する（ステップＳ２０８）。
パスワードリストは、例えば、図１４（ａ）のように発信側端末装置すべてに共通のパスワードを設定したもの、同図（ｂ）のように特定の発信側端末装置のＩＤについてのパスワードを設定したもの、同図（ｃ）のように各発信側端末装置のＩＤそれぞれについて異なるパスワードを設定したものなどが考えられる。複数のパスワードを設定しておき、それらのいずれかのパスワードと一致するかについて判定するようにしてもよい。また、発信側端末装置のＩＤをグループ分けし、同じグループに属するＩＤについて共通のパスワードを設定してもよい。パスワード照合部１７は、発信側端末装置から送信されてきたパスワードとパスワードリスト保持部１５に保持されているパスワードとを照合する。図１３に戻り、このパスワード照合部１７の照合結果は、着信制御部１４に送られる（ステップＳ２０９）。
【００４３】
パスワードが一致することを示す照合結果の場合、着信制御部１４は着信処理を行う（ステップＳ２１０→Ｓ２１１）。すなわち、着信音を出力したりバイブレーション機能を動作させたりし、音声呼着信があったことをユーザに知らせる。一方、パスワードが一致しないことを示す照合結果の場合、着信制御部１４は音声呼着信があったことをユーザに知らせない。つまり、ユーザへの呼出しは行われない。この場合、呼処理部１１０により、呼が切断される（ステップＳ２１０→Ｓ２１２→Ｓ２１３’）。
【００４４】
以上のような音声呼着信制御を行うため、着信側端末装置のユーザは、パスワードが一致する発信側端末からの音声呼についてのみ、着信処理を行うことができる。このように、パスワードによる照合を行うことにより、通信端末装置が他人に盗難されたり、悪用されたりした場合に、その通信端末装置からの着信を規制することができる。
【００４５】
複数のパスワードを設定しておき、それらのいずれかのパスワードと一致するかについて判定する場合の動作について、再び図７を参照して説明する。同図において、発信側通信端末装置から着信側通信端末装置に対する発信があった際（Ｓ２１）、着信側通信端末装置は発信側通信端末装置に対してパスワードを要求する（Ｓ２２、Ｓ２３）。発信側通信端末装置からパスワード要求応答が送信されると（Ｓ２４）、着信側通信端末装置は、その応答によってパスワードと自端末装置内に保存してあるパスワードリストとを照合して着信の可否を判断する（Ｓ２５）。そして、その照合結果に基づき、パスワードが一致した音声呼のみについて着信処理を行う（Ｓ２６）。このように、パスワードによる照合を行うことにより、通信端末装置が他人に盗難されたり、悪用されたりした場合に、その通信端末装置からの着信を規制することができる。
【００４６】
特定の発信側端末装置のＩＤについてのパスワードを設定した場合の動作について、図１５を参照して説明する。同図において、発信側通信端末装置から着信側通信端末装置に対する発信があった際（Ｓ２１）、着信側通信端末装置は、発信側端末装置のＩＤがパスワードリストに登録されている場合、発信側通信端末装置に対してパスワードを要求する（Ｓ２２０、Ｓ２３）。発信側通信端末装置からパスワード要求応答が送信されると（Ｓ２４０）、着信側通信端末装置は、その応答によってパスワードと自端末装置内に保存してあるパスワードリストとを照合して着信の可否を判断する（Ｓ２５’）。そして、その照合結果に基づき、パスワードが一致した音声呼のみについて着信処理を行う（Ｓ２６）。このように、パスワードによる照合を行うことにより、発信側通信端末装置を不正な第三者が利用した場合の着信、または、発番号を偽造して通知してきた場合の着信を規制することができる。
【００４７】
（ホワイトリスト及びパスワードリストによる音声呼着信制御）
通信端末装置に登録したホワイトリスト及びパスワードリストを用いて音声呼着信制御を行う場合について説明する。この場合、通信端末装置は、例えば、図１６に示されているように構成する。同図において、通信端末装置は、図示せぬ発信側端末装置からの音声呼を検出処理する呼処理部１１０と、音声呼着信を許可する発信側端末のＩＤに関するホワイトリストを保持するホワイトリスト保持部１２と、音声呼に含まれているＩＤとホワイトリスト保持部１２に保持されているホワイトリストに含まれているＩＤとを照合するＩＤ照合部１３と、予め定められたパスワードのリストを保持するパスワードリスト保持部１５と、ＩＤ照合部１３の照合結果に基づき、ホワイトリストに含まれているＩＤに対応する発信側端末装置にパスワードを要求するパスワード要求部１６と、音声呼について、その発信側端末から送信されたパスワードとパスワードリスト保持部１５に保持されているパスワードとを照合するパスワード照合部１７と、パスワード照合部１７の照合結果に基づき、パスワードが一致した音声呼のみについて着信処理を行う着信制御部１４とを含んで構成されている。
【００４８】
このような構成からなる通信端末装置が着信側端末として動作する場合について図１７を参照して説明する。同図において、発信側端末装置から音声呼が発信された場合（ステップＳ３０１）、呼処理部１１０は、その音声呼を検出する（ステップＳ３０２’）。呼処理部１１０が音声呼を検出した場合、ＩＤ照合部１３は、その音声呼に含まれているＩＤとホワイトリスト保持部１２に保持されているホワイトリストに含まれているＩＤとを照合する（ステップＳ３０３、Ｓ３０４）。ホワイトリストは、例えば、図１４（ｄ）のように構成されている。このＩＤ照合部１３の照合結果は、パスワード要求部１６及び着信制御部１４に送られる（ステップＳ３０５）。
【００４９】
ホワイトリストに含まれているＩＤに対応する発信側端末装置からの音声呼ではないことを示す照合結果の場合、着信制御部１４は音声呼があったことをユーザに知らせない。つまり、ユーザへの呼出しは行われない。この場合、呼処理部１１０により、呼が切断される（ステップＳ３０６→Ｓ３０７→Ｓ３０８’）。
一方、ホワイトリストに含まれているＩＤに対応する発信側端末からの音声呼であることを示す照合結果の場合、着信制御部１４はパスワード要求部１６にパスワードを要求する指示を行う（ステップＳ３０９）。これにより、パスワード要求部１６は、発信側端末装置にパスワードの入力を要求する（ステップＳ３１０）。このパスワードは、例えば、ダイヤルボタンなどの操作によって入力される数字やテキスト、端末装置の送話マイクロフォンから入力される音声、が考えられる。両者を組み合わせたものをパスワードとしてもよい。
【００５０】
発信側端末装置においては、パスワードが入力される（ステップＳ３１１）。発信側端末装置からパスワードが送信されてくると（ステップＳ３１２、Ｓ３１３）、パスワード照合部１７は、そのパスワードとパスワードリスト保持部１５に保持されているパスワードとを照合する（ステップＳ３１４）。パスワードリストは、例えば、図１４（ａ）〜（ｃ）のように構成されている。このパスワード照合部１７の照合結果は、着信制御部１４に送られる（ステップＳ３１５）。
【００５１】
パスワードが一致することを示す照合結果の場合、着信制御部１４は着信処理を行う（ステップＳ３１６→Ｓ３１７）。すなわち、着信制御部１４は着信音を出力したりバイブレーション機能を動作させたりし、音声呼着信があったことをユーザに知らせる。一方、パスワードが一致しないことを示す照合結果の場合、着信制御部１４は音声呼があったことをユーザに知らせない。つまり、ユーザへの呼出しは行われない。この場合、呼処理部１１０により、呼が切断される（ステップＳ３１６→Ｓ３１８→Ｓ３１９’）。
【００５２】
以上のような着信制御を行うため、着信側端末装置のユーザは、ホワイトリストに含まれているＩＤに対応する発信側端末からの音声呼のうち、パスワードが一致する音声呼についてのみ、応答することになる。このように、ホワイトリスト及びパスワードによる照合を行うことにより、通信端末装置が他人に盗難されたり、悪用されたりした場合に、その通信端末装置からの着信を規制することができる。
【００５３】
（ホワイト・パスワードリストの利用）
ところで、ホワイトリストとパスワードリストとを統合したホワイト・パスワードリストを用いて音声呼着信制御を行ってもよい。例えば、図１４（ｅ）のように両者を統合したリストを作成し、発信側端末装置のＩＤごとに別々のパスワードを設定する。そして、親しい者や家族など特定の発信側端末装置のＩＤについてはパスワードの入力を不要に設定することもできる。
【００５４】
図１４（ｅ）のホワイト・パスワードリストを用いた場合の動作例について、図１８を参照して説明する。
同図には、ホワイトリストに登録されパスワードが不要なユーザＡ、ホワイトリストに登録されているがパスワードが必要なユーザＢ、ユーザＢの通信端末装置を不正に利用するユーザＣ、ホワイトリストに登録されていないユーザＤがそれぞれＢｏｂの通信端末装置に音声呼を発信した場合の動作が示されている。
【００５５】
（１）ホワイトリスト未登録端末からの送信
ＩＤがホワイトリストに登録されていないユーザＤがＢｏｂに音声呼を発信した場合（Ｓ３１）、Ｂｏｂの通信端末装置では、ユーザＤの通信端末装置のＩＤがホワイトリストに登録されているか否かを照合する（Ｓ３２）。照合した結果、そのＩＤは登録されていないため、ユーザＤからの着信は規制される（Ｓ３３）。この結果、Ｂｏｂへの呼出しは行われない。これにより、ホワイトリストにＩＤが登録されていないユーザＤの通信端末装置からの着信を未然に防ぐことができる。
【００５６】
（２）ホワイトリスト登録済端末の不正使用による送信
ユーザＢの通信端末装置を不正に利用するユーザＣがＢｏｂに音声呼を発信した場合（Ｓ３１）、Ｂｏｂの通信端末装置では、ユーザＢの通信端末装置のＩＤがホワイトリストに登録されているか否かを照合する（Ｓ３２）。照合した結果、そのＩＤは登録されているため、ユーザＣに対してパスワードの入力を要求する（Ｓ３４）。
【００５７】
この要求に応答してユーザＣはパスワードを入力することになる（Ｓ３５）。Ｂｏｂの通信端末装置は、ユーザＣにより入力されたパスワードと事前に設定されたパスワードとの照合を行う（Ｓ３６）。
この場合、ユーザＣは正しいパスワードを入力できないので、パスワードは一致しない。このため、ユーザＣからの着信は規制され（Ｓ３７）、Ｂｏｂへの呼出しは行わない。これにより、本人以外のユーザが、ＩＤがホワイトリストに登録されている通信端末装置を悪用してＢｏｂへ音声呼を発信した場合も、その着信を規制することができる。
【００５８】
（３）ホワイトリスト登録済かつパスワード入力必要な端末による送信
ホワイトリストにＩＤが登録されているがパスワードが必要なユーザＢがＢｏｂに音声呼を発信した場合（Ｓ３１）、Ｂｏｂの通信端末装置では、ユーザＢの通信端末装置のＩＤがホワイトリストに登録されているか否かを照合する（Ｓ３２）。照合した結果、そのＩＤは登録されているため、ユーザＢに対してパスワードの入力を要求する（Ｓ３４）。
【００５９】
この要求に応答してユーザＢはパスワードを入力することになる（Ｓ３５）。Ｂｏｂの通信端末装置は、ユーザＢにより入力されたパスワードと事前に設定されたパスワードとの照合を行う（Ｓ３６）。
この場合、入力されたパスワードと事前に設定されたパスワードとが一致するため、ユーザＢからの着信は許可され（Ｓ３７）、Ｂｏｂへの呼出しが行われる。これにより、上記の場合と同様に、本人以外が通信端末装置を悪用した場合の着信を規制することができる。
【００６０】
（４）ホワイトリスト登録済かつパスワード入力不要な端末による送信
ＩＤがホワイトリストに登録され、かつ、パスワード入力が不要なユーザＡがＢｏｂに音声呼を発信した場合（Ｓ３１）、Ｂｏｂの通信端末装置は、ユーザＡの通信端末装置のＩＤがホワイトリストに登録されているか否かを照合する（Ｓ３２）。照合した結果、そのＩＤは登録されているため、ユーザＡからの着信は許可され（Ｓ３３）、Ｂｏｂへの呼出しが行われる。これにより、家族や友人等の親しいユーザが発信する際に、パスワードを入力する手間を省くことができる。
【００６１】
（まとめ）
以上説明した通信端末装置を用いれば、音声呼、ＳＭＳやショートメールについて、一律着信を許可するユーザ、適切なパスワードを入力すれば着信を許可するユーザ、一律着信を拒否するユーザ等の柔軟な着信制御を実現できる。そして、通信キャリアやユーザに負荷をかけずに迷惑メールを未然に防止できると共に、着信を許可した端末（または発番号の詐称）を利用した不正着信を規制できる。また、通信キャリアなどではなく、端末装置内で着信制御を行うことで、端末内容情報やアプリケーション（スケジューラ等）と連携した着信制御も容易になる。
【産業上の利用可能性】
【００６２】
本発明は、音声呼、ＳＭＳやショートメール等のＩＤを用いて迷惑メールの着信制御を行う場合に利用することができる。
【図面の簡単な説明】
【００６３】
【図１】ホワイトリストを用いてメール着信制御を行う通信端末装置の機能構成例を示すブロック図である。
【図２】図１の通信端末装置の動作例を示すシーケンス図である。
【図３】（ａ）はホワイトリストの構成例を示す図、（ｂ）、（ｃ）及び（ｄ）はパスワードリストの構成例を示す図、（ｅ）はホワイト・パスワードリストの構成例を示す図、である。
【図４】ホワイトリストを用いてメール着信制御を行う通信端末装置の動作の概要を示す図である。
【図５】パスワードリストを用いてメール着信制御を行う通信端末装置の機能構成例を示すブロック図である。
【図６】図５の通信端末装置の動作例を示すシーケンス図である。
【図７】パスワードリストを用いてメール着信制御を行う通信端末装置の動作の概要を示す図である。
【図８】別のパスワードリストを用いてメール着信制御を行う通信端末装置の動作の概要を示す図である。
【図９】ホワイト・パスワードリストを用いてメール着信制御を行う通信端末装置の機能構成例を示すブロック図である。
【図１０】図９の通信端末装置の動作例を示すシーケンス図である。
【図１１】ホワイト・パスワードリストを用いてメール着信制御を行う通信端末装置の動作の概要を示す図である。
【図１２】パスワードリストを用いて音声呼着信制御を行う通信端末装置の機能構成例を示すブロック図である。
【図１３】図１２の通信端末装置の動作例を示すシーケンス図である。
【図１４】（ａ）、（ｂ）及び（ｃ）はパスワードリストの構成例を示す図、（ｄ）はホワイトリストの構成例を示す図、（ｅ）はホワイト・パスワードリストの構成例を示す図、である。
【図１５】パスワードリストを用いて音声呼着信制御を行う通信端末装置の動作の概要を示す図である。
【図１６】ホワイト・パスワードリストを用いて音声呼着信制御を行う通信端末装置の機能構成例を示すブロック図である。
【図１７】図１６の通信端末装置の動作例を示すシーケンス図である。
【図１８】ホワイト・パスワードリストを用いて音声呼着信制御を行う通信端末装置の動作の概要を示す図である。
【符号の説明】
【００６４】
１１  メール記憶部
１２  ホワイトリスト保持部
１３  ＩＤ照合部
１４  着信制御部
１５  パスワードリスト保持部
１６  パスワード要求部
１７  パスワード照合部
【図１】
2007219681.tif 000003
【図２】
2007219681.tif 000004
【図３】
2007219681.tif 000005
【図４】
2007219681.tif 000006
【図５】
2007219681.tif 000007
【図６】
2007219681.tif 000008
【図７】
2007219681.tif 000009
【図８】
2007219681.tif 000010
【図９】
2007219681.tif 000011
【図１０】
2007219681.tif 000012
【図１１】
2007219681.tif 000013
【図１２】
2007219681.tif 000014
【図１３】
2007219681.tif 000015
【図１４】
2007219681.tif 000016
【図１５】
2007219681.tif 000017
【図１６】
2007219681.tif 000018
【図１７】
2007219681.tif 000019
【図１８】
2007219681.tif 000020